(57)【要約】【課題】  客自らが、薬店内における希望の薬及び該薬と相性の良い薬を簡単に調べかつ探し出すことができるようにする。【解決手段】  薬店内に設置される薬検索端末１０において、記憶部１２には、該薬店で販売される各薬毎に、相性の良い他の薬とのリンク情報を含む複数項目の薬検索情報を登録した薬データベース（ＤＢ）１２１が実装される。薬検索端末１０において、客が、入力／操作１３から検索条件である症状を入力すると、薬検索処理部１１１は、入力された上記症状に効能を発揮する薬及び該薬と相性の良い薬の薬検索情報を薬ＤＢ１２１から検索し、該検索された薬検索情報に基づき、上記症状に効能を発揮する薬と該薬と相性の良い薬の対応関係が明示された態様の検索結果を表示部１４に表示する。【選択図】  図２
2007025879.tif 000002
【特許請求の範囲】
【請求項１】
薬の情報を登録した薬データベースを有し、入力される検索条件に基づき前記薬データベースを検索する薬検索装置において、
各薬毎に、相性の良い他の薬とのリンク情報を含む複数項目の薬検索情報を登録して成る前記薬データベースと、
前記検索条件として症状の入力を受付ける検索条件受付手段と、
前記検索条件受付手段により受付けた前記症状に効能を発揮する薬と該薬と相性の良い薬の薬検索情報を前記薬データベースから検索する薬検索処理手段と、
前記薬検索処理手段により検索された薬検索情報に基づき、前記症状に効能を発揮する薬と該薬と相性の良い薬の対応関係が明示された態様の検索結果を表示手段に表示する表示制御手段と
を具備することを特徴とする薬検索装置。
【請求項２】
前記薬データベースは、
各薬毎に、品名及び効能の各項目の薬検索情報を登録して成り、
前記薬検索処理手段は、
前記検索条件受付手段により受付けた前記症状と、前記薬データベースに登録される各薬の効能の情報との照合結果に基づいて当該症状に効能を発揮する薬を検索すると共に、
前記症状に効能を発揮する薬に対応する前記リンク情報に基づき当該薬と相性の良い薬を検索する
ことを特徴とする請求項１記載の薬検索装置。
【請求項３】
前記表示制御手段は、
前記薬検索処理手段により検索された前記薬と該薬と相性の良い薬の品名リストを前記検索結果として前記表示手段に表示し、
前記薬検索処理手段は、
前記表示手段に表示される品名リスト中から所望の薬の選択を受付け、該選択された薬に対応する各項目の薬検索情報を前記薬データベースから検索し、
前記表示制御手段は、
前記薬検索処理手段により検索された、前記品名リスト中から選択された薬に対応する各項目の薬検索情報を当該薬の詳細な検索結果として前記表示手段に更に表示する
ことを特徴とする請求項１または２記載の薬検索装置。
【請求項４】
前記薬検索処理手段は、
前記品名リスト中から選択された薬に対応する各項目の薬検索情報の検索時、該薬に対応する前記リンク情報に基づき当該薬と相性の良い薬の品名の情報を前記薬データベースから更に検索し、
前記表示制御手段は、
前記薬検索処理手段により検索された、前記品名リスト中から選択された薬と相性の良い薬の品名を前記詳細な検索結果に含めて表示する
ことを特徴とする請求項３記載の薬検索装置。
【請求項５】
前記薬データベースは、
各薬毎に、値段、成分、効能、副作用、置き場所、外観画像の各項目の薬検索情報を登録して成る
ことを特徴とする請求項１乃至４のいずれか記載の薬検索装置。
【請求項６】
前記表示手段に表示された検索結果の印刷指示を受付け、該印刷指示に基づき当該検索結果を印刷出力する印刷出力制御手段
を更に具備することを特徴とする請求項１乃至５のいずれか記載の薬検索装置。
【請求項７】
前記薬データベースは、
当該薬検索装置とネットワークを介して接続される外部装置に設けられ、
前記薬検索処理手段は、
前記ネットワークを介して前記外部装置の前記薬データベースを検索する
ことを特徴とする請求項１乃至６のいずれか記載の薬検索装置。
【請求項８】
薬の情報を登録した薬データベースを有し、入力される検索条件に基づき前記薬データベースを検索する薬検索装置に実装される薬検索プログラムにおいて、
前記薬データベースに、各薬毎に、相性の良い他の薬とのリンク情報を含む複数項目の薬検索情報を登録する登録処理と、
前記検索条件として症状の入力を受付ける検索条件受付処理と、
前記検索条件受付処理により受付けた前記症状に効能を発揮する薬と該薬と相性の良い薬の薬検索情報を前記薬データベースから検索する薬検索処理と、
前記薬検索処理により検索された薬検索情報に基づき、前記症状に効能を発揮する薬と該薬と相性の良い薬の対応関係が明示された態様の検索結果を表示手段に表示する表示制御処理と
を前記薬検索装置に実行させることを特徴とする薬検索プログラム。
【請求項９】
物品の情報を登録した物品データベースを有し、入力される検索条件に基づき前記物品データベースを検索する物品検索装置において、
各物品毎に、相性の良い他の物品とのリンク情報を含む複数項目の物品検索情報を登録して成る前記物品データベースと、
前記検索条件として特性の入力を受付ける検索条件受付手段と、
前記検索条件受付手段により受付けた前記特性に合致する物品と該物品と相性の良い物品の物品検索情報を前記物品データベースから検索する物品検索処理手段と、
前記物品検索処理手段により検索された物品検索情報に基づき、前記特性に合致する物品と該物品と相性の良い物品の対応関係が明示された態様の検索結果を表示手段に表示する表示制御手段と
を具備することを特徴とする物品検索装置。
【発明の詳細な説明】
【技術分野】
【０００１】
本発明は、入力される検索条件に基づき物品データベースを検索する物品検索装置、中でも、薬の情報を登録した薬データベースを有し、入力される検索条件に基づき薬データベースを検索する薬検索装置に係わり、詳しくは、薬店で販売される薬を対象に、客自らが、希望する薬及び該薬と相性の良い薬を簡単に調べかつ探し出すことが可能な薬検索機能を有する薬検索装置及び薬検索プログラムに関する。
【背景技術】
【０００２】
例えば、医師により発行される処方箋に基づき医療機関や調剤薬局等で調剤される薬を対象に、調剤する側が患者の過去の調剤履歴を調べて副作用がないか等を検索したり、該薬の調剤を受けた患者が該薬の効能や処方の仕方等を検索する方法として種々の検索システムが実現されている。
【０００３】
一例として、下記特許文献１には、病院や診療所等の医療機関で医師によって処方され患者に調剤される薬剤の名称、効能や副作用等の詳細な薬剤情報を患者が簡単に知ることができるように、各薬剤に関する対象疾患名、成分、剤形、色、識別コード等の検索項目毎の検索情報と、各薬剤の名称と外形のカラー写真、及び薬剤に関する効能や副作用等の詳細な薬剤情報との関連データベースを記憶しておき、任意の薬剤に関して、モニタに表示された複数の前記検索項目のうち、任意の検索項目を順次選んで該当する内容を選択し入力装置で入力することにより、絞込み検索を行って、任意の薬剤を特定しその薬剤に関する薬剤情報をモニタに表示する薬剤検索システムが開示されている。
【０００４】
また、下記特許文献２には、顧客の薬品類の購買情報を格納する購買履歴データベースを有する顧客・購買履歴管理サーバと、薬品類の相互作用情報を格納する相互作用データベースを有する相互作用チェックサーバと、これら両サーバにアクセスして購買履歴と相互作用チェック情報を用いて薬品類の相互作用をチェックする機能を有する相互作用チェック端末を備え、顧客が既に購入した薬品類と該顧客が新たに購入する処方薬との相互作用をチェックして該チェック結果を顧客に通知する相互作用チェックシステムが開示されている。
【０００５】
また、下記特許文献３には、病院で作成された個別の投薬情報や処方箋情報に基づいて、薬局において処方、調剤された薬剤を患者に渡す際に、薬剤を収容する薬袋に、処方、調剤された薬剤の外観画像とその薬剤の使用・服用指導情報とを対応付けた情報を印刷する機能を有する服薬指導支援システムが開示されている。
【特許文献１】特開２００１−３３１５８３号公報
【特許文献２】特開２００４−１５７９７８号公報
【特許文献３】特開平１０−２８３４１９号公報
【発明の開示】
【発明が解決しようとする課題】
【０００６】
上記特許文献１乃至３記載の各システムは、それぞれ、医師の処方を通じて調剤された薬剤に関する薬剤情報を患者が知り得るようにすること、処方箋に基づく処方薬と患者が既に購入した薬品類との相互作用チェックの結果を患者や担当者に通知できるようにすること、処方箋に従って薬剤を正確に服用できるようにより分かり易い情報を患者に提供することを目的とするものであって、いずれのシステムも、薬店で販売される多数の薬の中から客自らが自分の疾患症状に効能がある適正な薬を容易に選択できるようにするものではない。
【０００７】
これにより、例えば、ドラッグストア等の薬店で市販されている薬を購入する場合、従来は、購入する側（顧客）が薬店内の棚に陳列された薬を一つ一つ手にとってパッケージに記載された効能等の内容を確認するか、あるいは、店員（薬剤師等）に相談して該店員が薦める薬を買うという方法しかなかった。
【０００８】
ここで、例えば、個人の知識だけを頼りに薬を購入しようとした場合は、副作用がある薬を選んでしまう危険性が高く、希望の薬と相性の良い薬を選ぶことなどは極めて困難であるという問題点があった。
【０００９】
また、店員に相談して薬を購入する場合には、副作用のある薬を買わずに済んだり、希望の薬とその薬と相性の良い薬を購入できる可能性は高まるものの、店員とのやりとりが煩雑であるという問題点があった。
【００１０】
また、薬以外の物品についても、ある物品と該物品と相性の良い物品を一緒に購入したい場合もあるが、従来、このように場合に、希望の物品及び該物品と相性の良い物品を簡単に調べかつ探し出す手立てがないという問題点があった。
【００１１】
本発明は、上記問題点を解消し、客自らが、希望の薬及び該薬と相性の良い薬を簡単に調べかつ探し出すことが可能な薬検索機能を有する薬検索装置及びプログラムを提供することを目的とする。
【００１２】
また、本発明は、希望の物品及び該物品と相性の良い物品を簡単に調べかつ探し出すことが可能な物品検索装置を提供することを目的とする。
【課題を解決するための手段】
【００１３】
上記目的を達成するために、請求項１記載の発明は、薬の情報を登録した薬データベースを有し、入力される検索条件に基づき前記薬データベースを検索する薬検索装置において、各薬毎に、相性の良い他の薬とのリンク情報を含む複数項目の薬検索情報を登録して成る前記薬データベースと、前記検索条件として症状の入力を受付ける検索条件受付手段と、前記検索条件受付手段により受付けた前記症状に効能を発揮する薬と該薬と相性の良い薬の薬検索情報を前記薬データベースから検索する薬検索処理手段と、前記薬検索処理手段により検索された薬検索情報に基づき、前記症状に効能を発揮する薬と該薬と相性の良い薬の対応関係が明示された態様の検索結果を表示手段に表示する表示制御手段とを具備することを特徴とする。
【００１４】
請求項２記載の発明は、上記請求項１記載の発明において、前記薬データベースは、各薬毎に、品名及び効能の各項目の薬検索情報を登録して成り、前記薬検索処理手段は、前記検索条件受付手段により受付けた前記症状と、前記薬データベースに登録される各薬の効能の情報との照合結果に基づいて当該症状に効能を発揮する薬を検索すると共に、前記症状に効能を発揮する薬に対応する前記リンク情報に基づき当該薬と相性の良い薬を検索することを特徴とする。
【００１５】
請求項３記載の発明は、上記請求項１または２記載の発明において、前記表示制御手段は、前記薬検索処理手段により検索された前記薬と該薬と相性の良い薬の品名リストを前記検索結果として前記表示手段に表示し、前記薬検索処理手段は、前記表示手段に表示される品名リスト中から所望の薬の選択を受付け、該選択された薬に対応する各項目の薬検索情報を前記薬データベースから検索し、前記表示制御手段は、前記薬検索処理手段により検索された、前記品名リスト中から選択された薬に対応する各項目の薬検索情報を当該薬の詳細な検索結果として前記表示手段に更に表示することを特徴とする。
【００１６】
請求項４記載の発明は、上記請求項３記載の発明において、前記薬検索処理手段は、前記品名リスト中から選択された薬に対応する各項目の薬検索情報の検索時、該薬に対応する前記リンク情報に基づき当該薬と相性の良い薬の品名の情報を前記薬データベースから更に検索し、前記表示制御手段は、前記薬検索処理手段により検索された、前記品名リスト中から選択された薬と相性の良い薬の品名を前記詳細な検索結果に含めて表示することを特徴とする。
【００１７】
請求項５記載の発明は、上記請求項１乃至４のいずれか記載の発明において、前記薬データベースは、各薬毎に、値段、成分、効能、副作用、置き場所、外観画像の各項目の薬検索情報を登録して成ることを特徴とする。
【００１８】
請求項６記載の発明は、上記請求項１乃至５のいずれか記載の発明において、前記表示手段に表示された検索結果の印刷指示を受付け、該印刷指示に基づき当該検索結果を印刷出力する印刷出力制御手段を更に具備することを特徴とする。
【００１９】
請求項７記載の発明は、上記請求項１乃至６のいずれか記載の発明において、前記薬データベースは、当該薬検索装置とネットワークを介して接続される外部装置に設けられ、前記薬検索処理手段は、前記ネットワークを介して前記外部装置の前記薬データベースを検索することを特徴とする。
【００２０】
請求項８記載の発明は、薬の情報を登録した薬データベースを有し、入力させる検索条件に基づき前記薬データベースを検索する薬検索装置に実装される薬検索プログラムにおいて、前記薬データベースに、各薬毎に、相性の良い他の薬とのリンク情報を含む複数項目の薬検索情報を登録する登録処理と、前記検索条件として症状の入力を受付ける検索条件受付処理と、前記検索条件受付処理により受付けた前記症状に効能を発揮する薬と該薬と相性の良い薬の薬検索情報を前記薬データベースから検索する薬検索処理と、前記薬検索処理により検索された薬検索情報に基づき、前記症状に効能を発揮する薬と該薬と相性の良い薬の対応関係が明示された態様の検索結果を表示手段に表示する表示制御処理とを前記薬検索装置に実行させることを特徴とする。
【００２１】
請求項９記載の発明は、物品の情報を登録した物品データベースを有し、入力される検索条件に基づき前記物品データベースを検索する物品検索装置において、各物品毎に、相性の良い他の物品とのリンク情報を含む複数項目の物品検索情報を登録して成る前記物品データベースと、前記検索条件として特性の入力を受付ける検索条件受付手段と、前記検索条件受付手段により受付けた前記特性に合致する物品と該物品と相性の良い物品の物品検索情報を前記物品データベースから検索する物品検索処理手段と、前記物品検索処理手段により検索された物品検索情報に基づき、前記特性に合致する物品と該物品と相性の良い物品の対応関係が明示された態様の検索結果を表示手段に表示する表示制御手段とを具備することを特徴とする。
【発明の効果】
【００２２】
本発明によれば、各薬毎に、相性の良い他の薬とのリンク情報を含む複数項目の薬検索情報を登録して成る薬データベースを有し、検索条件として症状の入力を受付けて該症状に効能を発揮する薬及び該薬と相性の良い薬の薬検索情報を薬データベースから検索し、該検索された薬検索情報に基づき、上記症状に効能を発揮する薬と該薬と相性の良い薬の対応関係が明示された態様の検索結果を表示するようにしたため、客は、検索条件である症状を入力するだけで、該症状に効能を発揮する薬と該薬と相性の良い薬の対応関係が明示された態様の検索結果を表示手段に表示させ、該検索結果を見ながら、自分の入力した症状に効能を発揮する薬と該薬と相性の良い薬を簡単に知ることができる。
【００２３】
また、本発明では、薬データベースに、各薬の品名、値段、成分、効能、副作用、置き場所、外観画像等の項目の薬検索情報も登録しておくことで、入力された症状に基づき該症状に効く薬及び該薬と相性の良い薬の各項目の薬検索情報を検索して適宜な形態の検索結果として表示でき、該当する薬の置き場所や外観画像等を含む上記検索結果を見ることで、薬店内におけるこれら薬の置き場所やパッケージがどのような外観であるかが分かり、望みの薬を簡単に探し出すことができる。
【００２４】
また、本発明では、各物品毎に、相性の良い他の物品とのリンク情報を含む複数項目の物品検索情報を登録して成る物品データベースを有し、検索条件として特性の入力を受付けて該特性に合致する物品及び該物品と相性の良い物品の物品検索情報を物品データベースから検索し、該検索された物品検索情報に基づき、上記特性に合致する物品と該物品と相性の良い物品の対応関係が明示された態様の検索結果を表示するようにしたため、検索条件である特性を入力するだけで、該入力した特性に合致する物品と該物品と相性の良い物品を簡単に知ることができる。
【発明を実施するための最良の形態】
【００２５】
以下、本発明の実施形態について添付図面を参照して詳細に説明する。
【００２６】
図１は、本発明に係る薬検索端末１０の薬店内における設置態様を示す概念図である。
【００２７】
図１において、薬店の店内には、それぞれ例えば１〜ｎの番号で識別されるｎ個の区画に仕切られた陳列棚Ａ，Ｂ，Ｃが配置され、これら陳列棚Ａ，Ｂ，Ｃの各区画には来店客に販売する各種の薬が陳列されている。
【００２８】
また、薬店内に設けられる来客応対用のカウンタ上には、本発明に係わる薬検索端末１０が設置され、来店した客は、この薬検索端末１０を用いて自分の望む薬を自由に検索できるようになっている。
【００２９】
図２は、薬店内に設置される本発明に係る薬検索端末１０の機能構成を示すブロック図である。
【００３０】
この薬検索端末１０は、例えば、パーソナルコンピュータ（ＰＣ）等の情報処理端末によって実現され、端末全体を制御する制御部１１、動作プログラムや制御データ等の各種情報を記憶する記憶部１２、薬検索条件等の各種情報の入力操作を行う入力／操作部１３、薬検索結果等の各種情報を表示する表示部１４、電子写真方式のプリンタ等で構成され、入力／操作部１３による印刷指示操作に基づき薬検索結果等の各種情報を印刷出力する出力部１５を具備して構成される。
【００３１】
この薬検索端末１０において、制御部１１には、薬店の来店客が入力／操作部１３を用いて入力した検索条件に基づき、記憶部１２に設けられる薬データベース１２１を検索する薬検索処理を行う薬検索処理部１１１が備わる。
【００３２】
記憶部１２には、薬検索処理部１１１における薬検索処理の検索対象である薬データベース（以下、薬ＤＢと呼称）１２１の他、該薬ＤＢ１２１に格納される各薬のパッケージの外観画像情報を記憶する外観画像情報格納部１２２が設けられる。
【００３３】
図３は、薬検索端末１０の記憶部１２に設けられる薬ＤＢ１２１の情報内容の一例を示す表図である。
【００３４】
図３に示すように、薬ＤＢ１２１には、薬検索端末１０が設置される薬店で販売する各薬毎に複数項目の薬検索情報（該当する薬を検索する際の指標情報）が格納される。
【００３５】
図３に示す薬ＤＢ１２１の例では、各薬（かぜ薬ａａａ，かぜ薬ｂｂｂ，かぜ薬ｃｃｃ，…，サプリメントＸ，サプリメントＹ，…）毎に、その品名、値段、成分、効能、副作用、好相性薬１，２，…、薬店内での置き場所、パッケージの外観画像情報の各項目の薬検索情報が格納されている。
【００３６】
なお、この薬ＤＢ１２１中、好相性薬とは、対応する薬と相性が良い薬、すなわち、該薬と一緒に服用した場合に相乗効果が期待できる薬のことを指す。
【００３７】
上記複数項目の薬検索情報のうち、好相性薬及び外観画像の情報としては、関連する情報へのリンク情報が格納される。
【００３８】
図４は、図３に例示した薬ＤＢ１２１における各情報のリンク関係を示す概念図である。
【００３９】
図４に示すように、薬ＤＢ１２１では、各薬毎に、その品名、値段、成分、効能、副作用、置き場所の各項目の薬検索情報がそれぞれ該当情報領域に格納される他、当該各薬の好相性薬（１，２，…）の情報については、ある薬の好相性薬の情報欄から当該薬と相性の良い他の薬の情報欄（品名の欄）へとリンクが張られた〔各薬の好相性薬の情報欄にリンク先（各情報と相性の良い薬）へのリンク情報が格納された〕情報内容となっている。
【００４０】
具体的に、図４の例では、かぜ薬ａａａに関して、好相性薬１の情報欄とサプリメントＸの情報欄との間、及び、好相性薬２の情報欄とサプリメントＹの情報欄との間にそれぞれリンクが張られている。この設定は、かぜ薬ａａａは、サプリメントＸ及びサプリメントＹと一緒に服用した際に相乗効果が期待できる薬であるとの前提に基づくものである。
【００４１】
また、薬ＤＢ１２１中、各薬の外観画像の情報については、各薬の外観画像の情報欄から記憶部１２に設けられる外観画像情報格納部１２２内の当該各薬に対応した外観画像情報領域へとそれぞれリンクが張られた（各薬の外観の情報欄にリンク先へのリンク情報が格納された）情報内容となっている。
【００４２】
かかる情報内容を格納した薬ＤＢ１２１を有する薬検索端末１０において、薬検索処理部１１１は、後で図６を参照して詳述する薬検索処理において、客が検索条件として入力した症状を基に薬ＤＢ１２１の例えば品名＝かぜ薬ａａａを該症状に効能を発揮する薬として特定した際には、該かぜ薬ａａａの薬検索情報登録エリアを対象に、該かぜ薬ａａａの品名、値段、成分、効能、副作用、置き場所の各情報を各々の該当情報欄から検索できると共に、該薬検索情報登録エリア中の外観画像の情報欄に格納されるリンク情報に基づき外観画像情報格納部１２２にアクセスしてその中からリンク先の外観画像情報（かぜ薬ａａａの外観画像情報）を検索することができる。
【００４３】
また、その際、かぜ薬ａａａの薬検索情報登録エリア中の好相性薬１，２の各情報欄にリンク情報が各々登録されていることにより、薬検索処理部１１１は、該各リンク情報に基づき当該かぜ薬ａａａと相性の良い薬であるサプリメントＸとサプリメントＹの薬検索情報登録エリアに各々アクセスすることで、該サプリメントＸ，サプリメントＹの品名、値段、成分、効能、副作用、好相性薬、置き場所、外観画像の各情報を検索することができる。
【００４４】
更に、薬検索端末１０は、薬検索処理部１１１での検索処理により検索された各項目の薬検索情報を所定の形態で含む検索結果を表示部１４に表示したり、出力部１５により印刷出力する機能を有する。
【００４５】
上述したように、薬検索処理部１１１での検索処理によって検索される薬検索情報としては、客が入力した症状に効能を発揮する薬の品名、値段、成分、効能、副作用、置き場所、外観画像の各情報の他、該薬と相性の良い薬の品名、値段、成分、効能、副作用、置き場所、外観画像の各情報も含まれる。
【００４６】
これにより、薬検索処理部１１１が検索した上記各項目の薬検索情報を、入力された症状に効く薬と該薬と相性の良い薬の対応関係が明確に分かる適宜な態様〔症状に効く薬とその好相性薬の品名リストを表示する（図７参照）方法、症状に効く薬の各項目の薬検索情報の一覧表示にその好相性薬の品名リストを併せ表示する（図８参照）方法、症状に効く薬とその好相性薬の各項目の薬検索情報を一覧表示する方法（図示せず）等〕で表示部１４に表示するようにすれば、検索を行った客は、該表示された検索結果を見ることで、自分が入力した症状に効く薬と該薬と相性の良いサプリメント等の好相性薬とを簡単に知ることができるようになる。
【００４７】
また、検索を行った客は、上記形態で表示された検索結果を必要に応じて出力部１５により印刷出力することにより、該印刷結果（検索結果表）を持ち歩いて該検索結果表に印刷された薬の置き場所や外観画像を参考にしながら、自分が入力した症状に効能のある薬及び該薬と相性の良い薬を店内で簡単に探し出すことが可能となる。
【００４８】
次に、薬店への来店客が薬検索端末１０を用いて薬を検索する際の操作手順について順次説明する。
【００４９】
薬店に設置された薬検索端末１０は、待機状態において、例えば、図５に示す表示内容から成る検索条件受付画面１４１を表示部１４に表示している。
【００５０】
図５に示すように、検索条件受付画面１４１には、検索条件として症状を入力することを促すメッセージ“症状を入力し、開始ボタンを押下して下さい”と、各症状〔熱，せき（咳），鼻水，頭痛，歯痛，腰痛，…〕に対応する症状入力ボタンと、該症状入力ボタンに対応する症状以外の症状（“その他”）を入力する症状入力欄と、開始ボタンおよび終了ボタンが表示される。
【００５１】
来店した客が、例えば、自分が患っている病気の症状に効く薬を薬検索端末１０を用いて検索しようとした場合、上記検索条件受付画面１４１上で、該症状に対応する症状入力ボタンを押下したり、当該症状を症状入力欄に入力する（該当する症状入力ボタンがない場合）等の方法により、検索条件としての１または複数の症状を入力した後、検索開始を指示するために開始ボタンを押下する。
【００５２】
客による上記検索要求操作に対し、薬検索端末１０は、図６に示すフローチャートに沿った薬検索処理を実行する。
【００５３】
この薬検索処理は、薬検索処理部１１１が、例えば、記憶部１２に記憶されている薬検索プログラムを読出し、該薬検索プログラムに基づいて実行する。
【００５４】
なお、薬検索プログラムには、図６に示す薬検索処理の実行に先立ち、薬ＤＢ１２１に対して、図３に示すように、各薬毎に、相性の良い他の薬とのリンク情報を含む複数項目の薬検索情報を登録する処理機能を持たせても良い。この場合の登録情報は、例えば、入力／操作部１３を操作して入力すれば良い。
【００５５】
図６において、薬検索端末１０は、待機中、表示部１４に検索条件受付画面１４１（図５参照）を表示（ステップＳ１０１）しており、該検索条件受付画面１４１上で客からの上述した検索要求操作に基づく症状の入力を受付ける処理（ステップＳ１０２）を行う。
【００５６】
この症状入力受付処理の実行中、薬検索処理部１１１は、検索開始操作（この例では、検索条件受付画面１４１の開始ボタンの押下）がなされたか否かを監視している（ステップＳ１０３）。
【００５７】
ここで、検索開始ボタンが押下されない場合（ステップＳ１０３ＮＯ）、薬検索処理部１１１は、ステップＳ１０１〜Ｓ１０２の処理を実施することで、客からの１または複数の症状の入力受付け処理を続行する。
【００５８】
この間、客が、検索条件受付画面１４１上で検索条件としての症状の入力を終えて開始ボタンを押下すると、薬検索処理部１１１は、該開始ボタンが押下されたことを検索開始操作が行われたものと判断し（ステップＳ１０３ＹＥＳ）、記憶部１２内の薬ＤＢ１２１を対象にした薬検索処理を開始する。
【００５９】
この薬検索処理において、薬検索処理部１１１は、まず、ステップＳ１０２で客により入力された症状をキーに、該症状に効能を発揮する薬を薬ＤＢ１２１からリストアップする（ステップＳ１０４）。
【００６０】
この処理は、例えば、ステップＳ１０２で客から受付けた症状（例えば、熱、咳等）と、薬ＤＢ１２１の効能情報欄に登録されている各薬の効能情報とを順次照合していき、該症状に対する薬効（例えば、解熱、咳き止め等）に相当する効能情報が効能情報欄に記憶されている薬を当該症状に効能を発揮する薬として特定し、該特定した全ての薬の品名を薬ＤＢ１２１から順に抽出する（読み出す）という方法により実現できる。
【００６１】
次いで、薬検索処理部１１１は、上記ステップＳ１０４でリストアップした薬と相性の良い薬を薬ＤＢ１２１からリストアップする（ステップＳ１０５）。
【００６２】
この処理は、例えば、ステップＳ１０４でリストアップした各薬毎に、該各薬の薬検索情報登録エリア中の好相性薬１，２，…に記憶されたリンク情報を基に各々リンク先の薬の薬検索情報登録エリアにおける品名を当該各薬に対応して順に抽出する（読み出す）という方法により実現できる。
【００６３】
引き続き、薬検索処理部１１１は、上記ステップＳ１０４でリストアップした薬の品名リストと、上記ステップＳ１０５でリストアップした薬の品名リストを、上記ステップＳ１０２で入力される症状を検索条件とする検索結果として、適宜な表示レイアウトを有する検索結果画面を用いて表示部１４に表示する（ステップＳ１０６）。
【００６４】
図７は、ステップＳ１０６において表示部１４に表示される検索結果画面１４３の一例を示す図である。
【００６５】
この検索結果画面１４３は、客が入力した症状に効能を発揮する薬の品名リストを表示する品名リスト表示欄と、品名リスト表示欄に表示される各薬と相性の良い薬の品名リストを表示する好相性薬品名リスト表示欄と、品名リスト欄表示欄に表示された各薬が症状に効くことを報知するメッセージ“次の薬が効きます。”と、好相性薬品名リスト表示欄に表示された各薬が品名リスト欄に表示される各薬に対して相性の良い薬であることを報知するメッセージ“相性が良いのは次の薬です”と、品名リスト表示欄若しくは好相性薬品名リスト表示欄に表示された各品名の薬の詳細を検索できる旨並びに検索手順を示すメッセージ“リスト中の薬を詳細検索できます。希望の薬を選択して開始ボタンを押して下さい”と、印刷、戻る、開始、終了の各ボタンを備えて構成される。
【００６６】
特に、この検索結果画面１４３は、客によって入力された症状、例えば、熱／咳に基づく図６のステップＳ１０４及びＳ１０５での薬検索結果の表示例を示すものであり、品名リスト表示欄には、これら症状に効能（解熱／咳止め）を発揮する薬として薬ＤＢ１２１からリストアップされた３種類の薬の品名（かぜ薬ａａａ、かぜ薬ｂｂｂ、かぜ薬ｃｃｃ）がリスト番号１，２，３に対応して表示されている。
【００６７】
また、好相性薬品名リスト表示欄には、上記３種類の薬の各々に対して該薬と相性の良い薬として薬ＤＢ１２１からリストアップされた各薬の品名が当該各薬に対応して表示されている。
【００６８】
この例では、かぜ薬ａａａに対応する好相性薬品名リスト欄には、サプリメントＸとサプリメントＹが表示され、かぜ薬ｂｂｂに対応する好相性薬品名リスト欄には、サプリメントＺが表示され、かぜ薬ｃｃｃに対応する好相性薬品名リスト欄には、サプリメントＸとサプリメントＹが表示されている。
【００６９】
この検索結果画面１４３の表示内容を見ることで、客は、自分が患っている症状（熱／咳）に対しては、かぜ薬ａａａ、かぜ薬ｂｂｂ、かぜ薬ｃｃｃが効くことが分かり、また、これら各薬に対しては、それぞれ、サプリメントＸ及びＹ、サプリメントＺ、サプリメント及びＹが相乗効果を期待できる薬であることが分かる。
【００７０】
かかる態様の検索結果画面１４３の表示中、検索者である客は、例えば、該検索結果画面１４３上の印刷ボタン、戻る、開始及び終了の各ボタンを押下することで、それぞれ、印刷指示、前の画面（検索条件受付画面１４１：図５参照）に戻る旨の指示、品名リスト表示欄あるいは好相性薬品名リスト表示欄に表示されている薬の詳細検索の開始指示、及び検索終了の各指示を入力することができる。
【００７１】
一方、薬検索端末１０において、薬検索処理部１１１は、検索結果画面１４３の表示中、該検索結果画面１４３の品名リスト表示欄あるいは好相性薬品名リスト表示欄に表示された薬の詳細検索開始指示操作（この例では、リスト表示された薬のうちの所望の薬の選択→開始ボタン押下）がなされたか否かをチェックする（ステップ１０７）。
【００７２】
このチェックの結果、詳細検索開始指示操作が行われない場合（ステップＳ１０７ＮＯ）、薬検索処理部１１１は、ステップＳ１０９に進んで印刷要求操作が行なわれたか否かをチェックする。
【００７３】
ここで、例えば、表示中の検索結果画面１４３上で印刷要求操作（印刷ボタン押下）が行なわれた場合（ステップＳ１０９ＹＥＳ）、薬検索処理部１１１は、出力部１５を駆動制御して、当該検索結果画面１４３上に表示されている検索結果を印刷出力させる（ステップＳ１１０）。
【００７４】
この検索結果の印刷出力後、あるいは、上記ステップＳ１０９で印刷要求操作が行なわれなかった場合（ステップＳ１０９ＮＯ）、薬検索処理部１１１は、戻る旨を指示する操作が行なわれたか否かをチェックする（ステップＳ１１１）。
【００７５】
ここで、表示中の検索結果画面１４３上で戻る旨を指示する操作（戻るボタン押下）が行なわれた場合（ステップＳ１１１ＹＥＳ）、薬検索処理部１１１は、表示部１４の表示を、検索結果画面１４３からその前画面に当たる検索条件受付画面１４１に切換え（ステップＳ１１２−Ａ）、その後、ステップＳ１０１以降の処理を続行する。
【００７６】
これに対して、戻る旨を指示する操作が行われなかった場合（ステップＳ１１１ＮＯ）、薬検索処理部１１１は、検索終了操作が行なわれたか否かをチェックする（ステップＳ１１３）。
【００７７】
ここで、表示中の検索結果画面１４３上で検索終了操作（終了ボタン押下）が行なわれた場合（ステップＳ１１３ＹＥＳ）、薬検索処理部１１１は、一連の検索処理処理を終了し、待機状態（ステップＳ１０１）に戻る。
【００７８】
これに対し、表示中の検索結果画面１４３上で検索終了操作が行われない場合（ステップＳ１１３ＮＯ）、薬検索処理部１１１は、検索結果画面１４３を表示部１４に表示したまま（ステップＳ１１３ＮＯ−Ｂ）、ステップＳ１０７以降の処理を続行する。
【００７９】
この間（検索結果画面１４３の表示中）、該検索結果画面１４３上で詳細検索開始指示操作（リスト表示されたうちの所望の薬の選択→開始ボタン押下）が行われた場合（ステップＳ１０７ＹＥＳ）、薬検索処理部１１１は、その際に選択された薬の品名をキーに、該品名に対応する各項目の薬検索情報を薬ＤＢ１２１（図３、図４参照）から検索し、該検索された薬検索情報を含む詳細検索結果を、適宜な表示レイアウトを有する詳細検索結果画面を用いて表示部１４に表示させる（ステップＳ１０８）。
【００８０】
図８は、ステップＳ１０８において表示部１４に表示される詳細検索結果画面１４５ａの一例を示す図である。
【００８１】
この詳細検索結果画面１４５ａは、特に、上記ステップＳ１０６で図７に示す検索結果画面１４３が表示されている時に、品名リスト表示欄におけるかぜ薬ａａａに対する詳細検索開始指示操作が客によってなされた場合の詳細検索結果の表示例を示すものである。
【００８２】
この場合、薬検索処理部１１１は、上記検索結果画面１４３上で選択されたかぜ薬ａａａに対応する品名、値段、成分、効能、副作用、置き場所の各項目の薬検索情報を薬ＤＢ１２１から検索し、これら検索された各項目の薬検索情報を、詳細検索結果画面１４５ａの予め決められた位置にレイアウトし、図８に示す態様で表示する。
【００８３】
これと同時に、薬検索処理部１１１は、薬ＤＢ１２１中の当該かぜ薬ａａａの外観情報欄に記憶されたリンク情報に基づき外観画像情報格納部１２２から当該かぜ薬ａａａの外観画像情報を読出し、該外観画像情報を基に当該かぜ薬ａａａの外観画像を、詳細検索結果画面１４５ａの予め決められた外観画像表示位置にレイアウトし、図８に示す態様で表示する。
【００８４】
更に、これと同時に、薬検索処理部１１１は、薬ＤＢ１２１中の当該かぜ薬ａａａの好相性薬１，２の各情報欄に記憶されたリンク情報に基づき当該薬ＤＢ１２１内のサプリメントＸとサプリメントＹの薬検索情報登録エリアにそれぞれアクセスして各々の品名情報を読出し、詳細検索結果画面１４５ａの予め決められた好相性薬１，２表示位置に個々にレイアウトし、図８に示す態様で表示する。
【００８５】
図９は、ステップＳ１０８において表示部１４に表示される詳細検索結果画面の別の例を示す図である。
【００８６】
図９における詳細検索結果画面１４５ｂは、特に、上記ステップＳ１０６で図７に示す検索結果画面１４３が表示されている時に、かぜ薬ａａａに対応する好相性薬として好相性薬品名リスト表示欄に表示されるサプリメントＸに対する詳細検索開始指示操作が客によってなされた場合の詳細検索結果の表示例を示すものである。
【００８７】
この場合、薬検索処理部１１１は、上記検索結果画面１４３上で選択されたサプリメントＸに対応する品名、値段、成分、効能、副作用、置き場所の各項目の薬検索情報を薬ＤＢ１２１から検索し、これら検索された各項目の薬検索情報を、詳細検索結果画面１４５ｂの予め決められた位置にレイアウトし、図９に示す態様で表示する。
【００８８】
これと同時に、薬検索処理部１１１は、薬ＤＢ１２１中の当該サプリメントＸの外観情報欄に記憶されたリンク情報に基づき外観画像情報格納部１２２から当該サプリメントＸの外観画像情報を読出し、該外観画像情報を基に当該サプリメントＸの外観画像を、詳細検索結果画面１４５ｂの予め決められた外観画像表示位置にレイアウトし、図９に示す態様で表示する。
【００８９】
更に、これと同時に、薬検索処理部１１１は、薬ＤＢ１２１中の当該サプリメントＸの好相性薬１，２の各情報欄に記憶されたリンク情報に基づき当該薬ＤＢ１２１内のかぜ薬ａａａとサプリメントＹの薬検索情報登録エリアにそれぞれアクセスして各々の品名情報を読出し、詳細検索結果画面１４５ｂの予め決められた好相性薬１，２表示位置に個々にレイアウトし、図９に示す態様で表示する。
【００９０】
なお、上記ステップＳ１０６で表示される検索結果画面１４３（図７参照）上でかぜ薬ａａａあるいはサプリメントＸ以外の薬を対象に詳細検索開始指示操作がなされた場合も、かぜ薬ａａａあるいはサプリメントＸを対象に詳細検索開始指示操作がなされた場合と同様の詳細検索処理が実行され、当該詳細検索対象の薬の詳細検索結果が、詳細検索結果画面１４５ａ，１４５ｂと同等の詳細検索結果画面１４５を用いて表示される。
【００９１】
上記ステップＳ１０８で表示部１４に表示される各薬の詳細検索結果画面１４５（１４５ａ，１４５ｂ，…）の表示内容を見ることで、客は、それ以前、症状の入力に基づく薬検索処理によって検索結果画面１４３（図７参照）にリストアップ表示された各薬（入力した症状に効く薬）、あるいは当該各薬に対する好相性薬のうちの所望の薬の値段、成分、効能、副作用、置き場所の詳細な内容を知ることができ、また、外観画像表示位置に表示された外観画像を基に当該薬のパッケージがどのような外観をしているのかを認識できる。
【００９２】
また、これら詳細検索結果画面には、当該薬と相性の良い薬の薬検索情報（品名）も併せ表示されるため、客は、この表示を見ることで、自分が入力した症状に効く薬（あるいは、当該薬に対する好相性薬）と一緒に服用して相乗効果が期待できる薬も容易に認識できる。
【００９３】
なお、上記詳細検索結果画面１４５（１４５ａ，１４５ｂ，…）には、詳細検索すべく選択した薬の各項目の薬検索情報（外観画像、好相性薬の品名を含む）の他、印刷、戻る、終了の各ボタンが表示される。
【００９４】
検索者である客は、詳細検索結果画面１４５上で、印刷ボタン、戻るボタン、終了ボタンを各々押下することで、それぞれ、印刷指示、前の画面（検索結果画面１４３）に戻る旨の指示、及び検索終了の各指示を入力することができる。
【００９５】
これに対して、薬検索処理部１１１は、上記ステップＳ１０８で詳細検索結果画面１４５を表示した後、ステップＳ１０９に進んで印刷要求操作が行なわれたか否かをチェックする。
【００９６】
ここで、例えば、表示中の詳細検索結果画面１４５上で印刷要求操作（印刷ボタン押下）が行なわれた場合（ステップＳ１０９ＹＥＳ）、薬検索処理部１１１は、印刷部１５を駆動制御して、当該詳細検索結果画面１４５上に表示されている詳細検索結果を印刷出力させる（ステップＳ１１０）。
【００９７】
この詳細検索結果の印刷出力後、あるいは、上記ステップＳ１０９で印刷要求操作が行なわれなかった場合（ステップＳ１０９ＮＯ）、薬検索処理部１１１は、戻る旨を指示する操作が行なわれたか否かをチェックする（ステップＳ１１１）。
【００９８】
ここで、詳細検索結果画面１４５上で戻る旨を指示する操作（戻るボタン押下）が行なわれた場合（ステップＳ１１１ＹＥＳ）、薬検索処理部１１１は、表示部１４の表示を、詳細検索結果画面１４５からその前画面に当たる検索結果画面１４３に切換え（ステップＳ１１２−Ｂ）、その後、ステップＳ１０７以降の処理を続行する。
【００９９】
これに対して、戻る旨を指示する操作が行われなかった場合（ステップＳ１１１ＮＯ）、薬検索処理部１１１は、検索終了操作が行なわれたか否かをチェックする（ステップＳ１１３）。
【０１００】
ここで、表示中の詳細検索結果画面１４５上で検索終了操作が行われなかった場合（ステップＳ１１３ＮＯ）、薬検索処理部１１１は、該詳細検索結果画面１４５を表示部１４に表示したまま（ステップＳ１１３ＮＯ−Ｃ）、ステップＳ１０９以降の処理を続行する。
【０１０１】
これに対し、詳細検索結果画面１４５上で検索終了操作（終了ボタン押下）が行なわれた場合（ステップＳ１１３ＹＥＳ）、薬検索処理部１１１は、一連の処理を終了し、待機状態（ステップＳ１０１）に戻る。
【０１０２】
なお、図６に示す薬検索処理では、客から検索条件として症状の入力を受付け、該入力された症状に効能を発揮する薬と該薬と相性の良い薬を薬ＤＢ１２１からリストアップし、該リストアップした各薬の品名リストを、入力した症状に効く薬と相性の良い薬との対応関係が明示される態様で検索結果画面１４３上に表示し、その後、該検索結果画面１４３上で所望の薬が選択されると、該選択された薬の各項目の薬検索情報を薬ＤＢ１２１から検索して該検索された各項目の薬検索情報を含む詳細検索結果画面１４５を表示する例を挙げたが、本発明において、薬ＤＢ１２１の検索方法と検索結果の表示方法はこれに限られるものではない。
【０１０３】
本発明に係わる薬検索端末１０では、薬店で販売する各薬毎に、その品名、値段、成分、効能、副作用、薬店内での置き場所、パッケージの外観の各項目の薬検索情報を登録すると共に、該各薬と相性の良い薬をリンク情報を用いて関連付ける好相性薬という項目の薬検索情報を更に登録した薬ＤＢ１２１を用いることで、例えば、客によって入力された症状に効能を発揮する薬の全ての薬検索情報を薬ＤＢ１２１から検索し、更に、該検索された各薬に対応するリンク情報に基づき当該薬と相性の良い薬の全ての薬検索情報を薬ＤＢ１２１から検索することができ、これら検索された各項目の薬検索情報を基に、その検索結果の表示方法についても、例えば、図８，図９に示す詳細検索結果画面１４５のように、検索された薬（症状に効く薬）の各項目の薬検索情報と該薬と相性の良い薬の品名を含む形で最初から（図７に示す検索結果画面１４３を経ずに）表示したり、更には、検索された薬（症状に効く薬）の各項目の薬検索情報と該薬と相性の良い薬の各項目の薬検索情報を一覧表示の形で表示することも可能である。
【０１０４】
いずれの場合も、客が入力した症状に効能を発揮する薬と該薬と相性の良い薬の対応関係が明示された態様で検索結果の表示が行われることになり、検索者である客は、表示部１４に表示された検索結果を見ることで、入力した症状に効く薬は勿論、該薬と相性の良い他の薬の情報も簡単に知ることができる。
【０１０５】
また、本発明では、薬ＤＢ１２１から検索された、客が入力した症状に効能を発揮する薬と該薬と相性の良い薬の各項目（品名、値段、成分、効能、副作用、置き場所、外観等）の薬検索情報を基に、これら各項目の検索情報を含む検索結果を表示部１４に表示することができ、また、必要に応じて、該検索結果を出力部１５により印刷出力することができる。
【０１０６】
これにより本発明では、表示される検索結果、あるいは印刷された検索結果（印刷結果表）を見ながら、該検索された各薬の値段、成分、効能、副作用等を確認しながらどの薬を購入するかを詳細に検討することができる。
【０１０７】
また、上記検索結果（表示あるいは印刷されたもの）には、検索された各薬の薬の店内での置き場所（例えば、Ａ−５の棚、Ａ−６の棚等：図８，図９参照）並びに外観画像も含まれているため、検索者である客は、これらの情報から各薬の店内における置き場所や、パッケージがどのような外観であるかも分かり、特に、検索した検索結果を印刷した場合には、該印刷した検索結果表を手にしながら、その中の置き場所の情報を基に薬店内の当該置き場所（陳列棚）まで行き、当該置き場所にある薬の外観と検索結果表における当該薬の外観の情報とを照らし合わせながら求める薬あるいは該薬との好相性品を簡単に探すことができる。
【０１０８】
この場合に、検索結果表は白黒で印刷しても良いが、陳列棚内の薬の外観と検索結果表中の薬の外観を比べて求める薬を探し当てるという運用を考えると、出力部１５は印刷結果表をカラーで印刷できる機能を有することが望ましい。
【０１０９】
上述した薬検索機能を有する本発明の薬検索端末１０によれば、症状と各薬の効能の関係並びに各薬と相性の良い好相性品の関係をより専門的な知識を反映させて薬ＤＢ１２１を構築するようにすれば、客による症状の入力に対し、客個人の知識が及ばないより専門的な知識をベースに該症状に効能のある薬並びに該薬と相性の良い好相性薬を客に提示でき、客は、自ら入力した症状に効能を発揮する薬と該薬と相性の良い薬に関する詳しい情報を各個人の知識に依存することなく、しかも店員との相談に依存することなく容易に検索できる。
【０１１０】
一方、薬店側にとっては、客から症状を聞いてどの薬が効くかや、一緒に服用するにはどの薬が相乗効果が見込めるかを説明する手間や、これら薬やその好相性薬の置き場所を説明する等の作業を大幅に軽減できる。
【０１１１】
なお、上記実施例では、薬検索端末１０を単独の薬検索装置の形で薬店内に設置した例を挙げているが、本発明は、これに限らず、例えば、図１０に示すように、各薬店（この例では、薬店Ａ，Ｂ）に設置される１または複数の薬検索端末１０（便宜的に、１０Ｂと呼称）をネットワーク５０を介して情報管理サーバ３０に接続した薬検索システムの形で実現することも可能である。
【０１１２】
図１０に示す薬検索システムにおいて、管理サーバ３０は、図２に示した薬検索端末１０に実装される薬ＤＢ１２１（但し、各薬店Ａ，Ｂに対応して設けられ、それぞれが該当する薬店で販売する薬の薬検索情報を登録したもの）及び外観画像情報格納部１２２と各々同等の薬ＤＢ３１１及び外観画像情報格納部３１２を記憶部３１内に保持する一方、各薬店に設置される薬検索端末１０Ｂは、図２に示した薬検索端末１０と同等の構成要素に加えて、ネットワーク５０を通じて情報管理サーバ３０との通信の制御を行なう通信インタフェース（Ｉ／Ｆ）部１６が備わる。
【０１１３】
この薬検索システムにおいて、各薬店Ａ，Ｂに設置される薬検索端末１０Ｂは、基本的には、図６に示す流れに沿った薬検索処理を行う。
【０１１４】
但し、このシステムの薬検索端末１０Ｂにおいて、薬検索処理部１１１Ｂは、図６に示す一連の検索処理中、ステップＳ１０５及びＳ１０６（ステップＳ１０１〜Ｓ１０３で客による症状の入力を受付けた場合）、並びにステップＳ１０８（ステップＳ１０７で表示リスト中の薬の詳細検索操作を受付けた場合）においては、ネットワーク５０を介して管理サーバ３０の薬ＤＢ３１１（及び外観画像情報格納部３１２）にアクセスし、該入力された症状に効能を発揮する薬と該薬と相性の良い薬の各項目の薬検索情報を当該薬ＤＢ３１１（及び外観画像情報格納部３１２）から検索してその検索結果（検索結果画面１４３、詳細検索結果画面１４５）を表示部１４に表示する薬検索処理を実行する。
【０１１５】
かかる薬検索システムの構成によれば、各薬店Ａ，Ｂ，…毎に薬検索端末１０Ｂを設置したうえで、これら各薬店Ａ，Ｂ，…で販売する薬に対応する各薬ＤＢ３１１を１つの管理サーバ３０を用いて集中管理でき、薬検索端末１０Ｂを設置する薬店を増やすなどのシステム拡張にも簡単に対応可能となる。
【０１１６】
この他、本発明は、上記し、且つ図面に示す実施例に限定することなく、その要旨を変更しない範囲内で適宜変形して実施できるものである。
【０１１７】
例えば、本発明は、ポイントカード管理システムと併用しても良い。この場合、例えば、図１０に示す薬検索システムであれば、情報管理サーバ３０の記憶部３１内に、ポイントカードのカード識別情報に対応して、該ポイントカードを有する客が購入した薬の購入履歴を記憶する購入履歴管理テーブルを設ける一方で、各薬店に設置される薬検索端末１０Ｂには、ポイントカードの情報を読取るカード読取部を設ける。
【０１１８】
かかる構成において、客は、例えば、薬検索端末１０Ｂを用いて検索した薬あるいは該薬と相性の良い薬を客が購入すると該客にポイントカードを発行し、該ポイントカードのカード識別情報に対応して、情報管理サーバ３０の購入履歴管理管理テーブル内に当該購入した薬の情報を記憶する。
【０１１９】
その後、客が薬店に来店して薬検索端末１０Ｂを用いて薬を検索する際、該薬検索端末１０Ｂは、カード読取部にポイントカードを受け入れてカード識別情報を読み込んだ後、情報管理サーバ３０の購入履歴管理テーブルにアクセスし、該カード識別情報に対応して購入した薬の情報が記憶されていれば、該薬に対応する各項目の薬検索情報を薬ＤＢ３１１から読み出して、表示部１４に表示する。
【０１２０】
その際、薬ＤＢ３１１内における図４で説明したリンク情報を基に当該薬の好相性薬や外観等の各項目の薬検索情報も検索して表示する。
【０１２１】
このように、ポイントカードと薬ＤＢ３１１を連携させた薬検索処理によれば、客は、再び薬を買う場合、過去の薬購入時に発行されたポイントカードを提示するだけで、過去に購入した薬あるいは該薬と相性の良い薬に関する上記の表示を受けて、購入すべき薬を簡単に知ることができ、相性の悪い薬の購入も回避できる。
【０１２２】
また、ポイントカードと薬ＤＢ３１１を連携した薬検索処理機能を付加することで、薬店側では、ポイントカードの付加価値を高め、客の囲い込みを実現できる。
【０１２３】
また、上記実施例では、客が入力した症状に効能を発揮する薬と該薬と相性の良い薬を検索する薬検索端末について述べたが、本発明は、薬以外の各種の物品、例えば、ある特性を有する物品と該物品と相性の良い物品を検索する物品検索装置にも適用可能である。
【０１２４】
この物品検索装置を実現するには、上述した薬検索端末１０の薬データベースと同様のリンク情報を用いた物品データベース、すなわち、各物品毎に、相性の良い他の物品とのリンク情報を含む複数項目の物品検索情報を登録して成る物品データベースを設ければ良い。
【０１２５】
そのうえで、検索条件受付手段により、検索条件として特性の入力を受付け、物品検索手段により、上記検索条件受付手段が受付けた上記特性に合致する物品と該物品と相性の良い物品の物品検索情報を物品データベースから検索し、更に、表示制御手段が、上記物品検索処理手段により検索された物品検索情報に基づき、上記特性に合致する物品と該物品と相性の良い物品の対応関係が明示された態様の検索結果を表示手段に表示するように制御すれば良い。
【０１２６】
かかる物品検索装置の構成によれば、検索条件である特性を入力するだけで、該特性に合致する物品と該物品と相性の良い物品の対応関係が明示された態様の検索結果を表示手段に表示させ、該検索結果を見ながら、自分の入力した特性に合致する物品と該物品と相性の良い物品を簡単に知ることができる。
【産業上の利用可能性】
【０１２７】
本発明は、入力される検索条件に基づき物品データベースを検索する物品検索装置全般に適用でき、中でも、入力される検索条件に基づき薬データベースを検索する薬検索装置において、各薬毎に、相性の良い他の薬とのリンク情報を含む複数項目の薬検索情報を登録した上記薬データベースを備え、該薬データベースから、客が入力した症状に効能を発揮する薬及び該薬と相性の良い薬の薬検索情報を検索して、上記症状に効能を発揮する薬と該薬と相性の良い薬の対応関係が明示された態様の検索結果を表示することによって、客は、症状を入力するだけで、その症状に効く薬及び該薬と相性の良い薬を簡単に調べることができる。
【図面の簡単な説明】
【０１２８】
【図１】本発明に係る薬検索端末の薬店内における設置態様を示す概念図。
【図２】本発明に係る薬検索端末の機能構成を示すブロック図。
【図３】薬検索端末が保持する薬データベースの情報内容の一例を示す表図。
【図４】薬データベースにおける各情報のリンク関係を示す概念図。
【図５】検索条件受付画面の表示例を示す図。
【図６】薬検索端末における薬検索処理を示すフローチャート。
【図７】検索結果画面の表示例を示す図。
【図８】詳細検索結果画面の表示例を示す図。
【図９】詳細検索結果画面の別の表示例を示す図。
【図１０】本発明に係る薬検索端末を用いた薬検索システムの構成を示す図。
【符号の説明】
【０１２９】
１０，１０Ｂ…薬検索端末、１１…制御部、１１１，１１１Ｂ…薬検索処理部、１２…記憶部、１２１…薬データベース（ＤＢ）、１２２…外観画像情報格納部、１３…入力／操作部、１４…表示部、１４１…検索条件受付画面、１４３…検索結果画面、１４５，１４５ａ，１４５ｂ…詳細検索結果画面、１５…出力部、１６…通信インタフェース（Ｉ／Ｆ）部、３０…情報管理サーバ、３１…記憶部、３１１…薬データベース（ＤＢ）、３１２…外観画像情報格納部
【図１】
2007025879.tif 000003
【図２】
2007025879.tif 000004
【図３】
2007025879.tif 000005
【図４】
2007025879.tif 000006
【図５】
2007025879.tif 000007
【図６】
2007025879.tif 000008
【図７】
2007025879.tif 000009
【図８】
2007025879.tif 000010
【図９】
2007025879.tif 000011
【図１０】
2007025879.tif 000012